(57)【要約】【課題】  庭等に敷設される舗石ユニットを複数の舗石片と連結ネットで簡便な作業により連結できるようにする。【解決手段】  止めネジ３で複数の舗石片１を連結ネット２に連結して構成し庭等に敷設される舗石ユニットであって、裏面のほぼ中央に受け穴１ａを有する複数の舗石片１と、複数の多角形が頂点部で連結され各頂点部に止め孔２ａを設けた連結ネット２からなり、受け穴１ａの内径とほぼ同じ外径、止めネジ３の外径より小さめの内径を有する筒状部材からなるネジ受けアンカー４を介してそれぞれの舗石片１の受け穴１ａに連結ネット２のそれぞれの止め孔２ａから止めネジ３を螺入して複数の舗石片１を連結ネット２に連結して構成する。【選択図】      図１
2006089923.tif 000002
【特許請求の範囲】
【請求項１】
止めネジで複数の舗石片を連結ネットに連結して構成し庭等に敷設される舗石ユニットであって、裏面のほぼ中央に１乃至複数の受け穴を有する複数の舗石片と、複数の多角形が頂点部で連結され各頂点部に止め孔を設けた連結ネットからなり、前記受け穴１ａの内径とほぼ同じ外径、前記止めネジの外径より小さめの内径を有する筒状部材からなるネジ受けアンカーを介して前記それぞれの舗石片の受け穴に前記連結ネットのそれぞれの止め孔から前記止めネジを螺入して前記複数の舗石片を前記連結ネットに連結して構成したことを特徴とする舗石ユニット。
【請求項２】
前記連結ネットは、ネジ受けアンカーを前記止め孔を設けた各頂点部に前記ネジ受けアンカーを一体に形成したものであることを特徴とする請求項１記載の舗石ユニット。
【請求項３】
前記ネジ受けアンカーは、中間部より前記止めネジが螺入される先端に向けて複数のスリットを有することを特徴とする請求項１又は２記載の舗石ユニット。
【請求項４】
前記ネジ受けアンカーは、前記舗石片の受け穴に接着剤で固着されていることを特徴とする請求項請求項１乃至３のいずれかに記載の舗石ユニット。
【発明の詳細な説明】
【技術分野】
【０００１】
本発明は、止めネジで複数の舗石片を連結ネットで連結して構成し庭等に敷設される舗石ユニットに関する。
【背景技術】
【０００２】
石を平面的に連結する手法として、金網とＵ字金具を使った敷石ブロックが提案されている（例えば、特許文献１参照）。この敷石ブロックは、河川等の護岸の整備に用いるものとして、自然石やその加工石からなる石材に、予めハの字形または逆ハの字形に１対の穴を穿設し、金網を通してＵ字金具の脚部を１対の穴に沿って変形させながら圧入して金網と石材を結合するものである。
【特許文献１】特開２００１−９８５２７号公報
【発明の開示】
【発明が解決しようとする課題】
【０００３】
上記従来の敷石ブロックは、河川等の護岸の整備に用いることもあって、Ｕ字金具の脚部を石材の１対の穴に沿って圧入して変形させることで金網に強固に結合するため、強度的には石材、金網、Ｕ字金具のいずれもが相当高いものが要求される。しかし、庭等に敷設される舗石ユニットとする場合には、強度的にも１人分の体重を考えればよいので、大きな強度や堅固さは要求ないが、従来の敷石ブロックでは、作業そのものも大きな力を必要とし、簡便な作業で済ませることができない。
【課題を解決するための手段】
【０００４】
本発明は、上記課題を解決するものであって、庭等に敷設される舗石ユニットを複数の舗石片と連結ネットで簡便な作業により連結できるようにするものである。
【０００５】
そのために本発明は、止めネジで複数の舗石片を連結ネットに連結して構成し庭等に敷設される舗石ユニットであって、裏面のほぼ中央に１乃至複数の受け穴を有する複数の舗石片と、複数の多角形が頂点部で連結され各頂点部に止め孔を設けた連結ネットからなり、前記受け穴１ａの内径とほぼ同じ外径、前記止めネジの外径より小さめの内径を有する筒状部材からなるネジ受けアンカーを介して前記それぞれの舗石片の受け穴に前記連結ネットのそれぞれの止め孔から前記止めネジを螺入して前記複数の舗石片を前記連結ネットに連結して構成したことを特徴とする。
【０００６】
また、前記連結ネットは、ネジ受けアンカーを前記止め孔を設けた各頂点部に前記ネジ受けアンカーを一体に形成したものであり、前記ネジ受けアンカーは、中間部より前記止めネジが螺入される先端に向けて複数のスリットを有し、前記ネジ受けアンカーは、前記舗石片の受け穴に接着剤で固着されていることを特徴とする。
【発明の効果】
【０００７】
本発明によれば、舗石片の裏面ほぼ中央に１乃至複数の受け穴を例えばドリルのようなもので穿設し、連結ネットとして複数の多角形が連結された各頂点部の止め孔から止めネジを舗石片の受け穴にネジ受けアンカーを介して螺入するだけで、簡便に止めネジで複数の舗石片を連結ネットに連結して構成する舗石ユニットを実現できる。しかも、裏面に１乃至複数の受け穴を穿設した舗石片、複数の多角形が頂点部で連結され各頂点部に止め孔を設けた連結ネット、筒状部材からなるネジ受けアンカー、止めネジを用意することで、ネジ止めにより簡便に作ることができる。
【発明を実施するための最良の形態】
【０００８】
以下、本発明の実施の形態を図面を参照しつつ説明する。図１は本発明に係る舗石ユニットの実施の形態を示す図、図２は舗石片の実施の形態を示す図、図３は連結具の実施の形態を示す図であり、１は舗石片、１ａは受け穴、２は連結ネット、２ａは止め孔、３は止めネジ、４はネジ受けアンカー、４ａはスリット、４ｂは接着剤を示す。
【０００９】
図１において、舗石片１は、自然石製、レンガ製、コンクリート製、タイル製、陶磁器製、金属製などの石片で、数十ｃｍの矩形に近い形状、数ｃｍの厚さを有し、裏面のほぼ中央に受け穴１ａを有している。連結ネット２は、複数の三角形が頂点部で連結されそれら各頂点部に止め孔２ａを設けた樹脂製のネットである。止めネジ３は、連結ネット２の各頂点部の止め孔２ａを通して舗石片１の受け穴１ａに螺入して舗石片１を連結ネット２に連結固定するものであり、したがって、止め孔２ａ、受け穴１ａは、それぞれ止めネジ３の径に対応した径を有するものである。このように本実施形態の舗石ユニットは、連結ネット２の三角形の各頂点部で止め孔２ａから舗石片１の受け穴１ａに止めネジ３を螺入することにより、連結ネット２の三角形の各頂点部に舗石片１をネジ止め固定することにより、門扉から玄関までの歩道や花壇、家の廻りの歩道の敷石、舗石として敷設する一定サイズのユニットとしたものである。
【００１０】
舗石片１は、図２（Ａ）、（Ｂ）に示すように受け穴１ａが例えばドリルで穴あけ加工され、止めネジ３を螺入して連結するために使用される。舗石ユニットを構成する個々の舗石片１がこの受け穴１ａにおいて、図１に示すように連結ネット２に止めネジ３で取り付けられ、しっかりと連結され外れにくくするためには、図２（Ａ）、（Ｂ）に示すように舗石片１の受け穴１ａにネジ受けアンカー４が嵌入される。このネジ受けアンカー４は、樹脂製の筒状部材からなり、受け穴１ａの内径とほぼ同じ外径、止めネジ３の外径より小さめの内径を有する。このような柔らかいネジ受けアンカー４が舗石片１の受け穴１ａに嵌入された状態で止めネジ３が螺入されると、ネジ受けアンカー４は、内壁側にネジが切られながら外周面が膨張して受け穴１ａの内壁を押しつけるため、ネジ受けアンカー４、止めネジ３が共に舗石片１の受け穴１ａから外れにくくなり固定される。
【００１１】
このようにネジ受けアンカー４は、柔らかい、さらには耐腐食の高い筒状の部材が適し止めネジ３の螺入により内壁側にネジが切られ外周面が膨張すればよいので、樹脂製に限らずある程度柔らかい鉛や真鍮、鉄製の筒状部材を用いても良い。さらに、舗石片１の受け穴１ａの中に入る筒状部材の中間部から先端にかけて、図２（Ｃ）に示すようにスリット４ａを設け止めネジ３の螺入により外周面の拡がりをしやすくするのも有効である。また、図２（Ｂ）に示すように舗石片１の受け穴１ａの内面とネジ受けアンカー４の外周面との間に接着剤４ｂを使うことも、舗石片１の受け穴１ａの中でのネジ受けアンカー４の固着性を高めるのに有効である。
【００１２】
連結ネット２は、図３（Ａ）に示すように三角形の頂点部で連結された樹脂製のネットの各頂点部に止め孔２ａを設け、この止め孔２ａを通して止めネジ３を螺入し、図２に示すような舗石片１の受け穴１ａに螺合し連結する。この場合において、先に示したネジ受けアンカー４は、図２に示すように個々の舗石片１の受け穴１ａに嵌入しておいてもよいが、図３（Ｂ）に示すように三角形の各頂点部に止め孔２ａの部分に一体に形成してもよい。
【００１３】
なお、本発明は、上記実施の形態に限定されるものではなく、種々の変形が可能である。例えば上記実施の形態では、舗石片としてほぼ矩形の形状のものを示したが、菱形、六角形その他大きさがほぼ同じ任意形状のもの、不定形状のものであってもよいし、異なる形状のものを組み合わせて連結してもよい。また、連結ネットとして、複数の三角形が頂点部で連結され各頂点部に止め孔を設けた構成を示したが、六角形が頂点部で連結され、あるいは四角形と三角形の組み合わせなど複数の多角形が頂点部で連結されるようなものであってもよい。さらに、舗石片は、裏面のほぼ中央に１つの受け穴を有する構成を示したが、複数の受け穴を有するものであってもよい。
【図面の簡単な説明】
【００１４】
【図１】本発明に係る舗石ユニットの実施の形態を示す図である。
【図２】舗石片の実施の形態を示す図である。
【図３】連結具の実施の形態を示す図である。
【符号の説明】
【００１５】
１…舗石片、１ａ…受け穴、２…連結ネット、２ａ…止め孔、３…止めネジ、４…ネジ受けアンカー、４ａ…スリット、４ｂ…接着剤
【図１】
2006089923.tif 000003
【図２】
2006089923.tif 000004
【図３】
2006089923.tif 000005